(57)【要約】本発明は空間的、時間的制約がなくても効率的な腰、腹筋運動を行うことができる運動装置を提供することができる。また，本発明によると，本体が発光するので、運動中に視覚的な楽しさを付加して単純な繰り返し運動による退屈さをとり除くことができる運動装置を提供することができる．【課題】従来技術で作られた腰、腹筋運動器具による空間的、位置的不便さがあった。また、単純な運動時間は退屈してしまう。【解決手段】狭い空間でも効率的な腰、腹筋運動ができる運動装置の提供を目的にする。その為、使用者の腹部にベルトをつけ偏心運動部がつくことにより負荷がかかり上記のような空間で運動が出来る。運動時間に視覚的刺激を通じる退屈さをとり除くことができる運動装置の提供を目的にするため、発電部、発光部を設けた。【選択図】    図２
2006026371.tif 000002
【特許請求の範囲】
【請求項１】
ベルトの外側に偏心運動部を設置するが、偏心運動部はベルトに設置されるブラケットと、ブラケットの外側に偏心軸に結合設置される本体を含んで構成されることを特徴にする腹筋運動装置．
【請求項２】
第１項において，上記ブラケットは上記ベルトを中心に所定の角度に回転することができることを特徴にする腹筋運動装置。
【請求項３】
第１項において、上記本体は上記ブラケットと偏心回転されるベアリング、上記ベアリングの回転によって電気を発生する発電部、上記発電部で発生された電気によって発光する発光部、及び上記発光部が設置されて、上記本体の外面をくるむように形成された透明材質の弾性部を含むことを特徴にする腹筋運動装置。
【発明の詳細な説明】
【発明の詳細な説明】
本発明は運動装置に関することで，小さくしたことで狭い空間でも效率的に腰と腹筋を鍛えることができる腹筋運動装置に関する。
自動車などを利用した移動，長時間机での学習または業務などによって現代人は運動不足の傾向が多い。食事も特に，肉食が多くなり食生活が変化して攝取熱量は高いが，楽な生活による運動不足で腰，腹部などに脂肪がたくさん蓄積されるようになる。このような脂肪蓄積は見掛け上でも良くないだけでなく，肥満による各種疾病などを誘発するようになる。
このような腰，腹部などに蓄積された脂肪を運動によってとり除くために腹筋運動やフラフープ（ｈｕｌａ−ｈｏｏｐ）を利用した運動方法が推薦されている。
腹筋運動の場合に，足を固定するために器具や押さえる人が必要で足首固定部が付属した腹筋ボード）が提案された。
しかし腹筋運動をするたびに足を押さえる人を求めやすくなく、腹筋運動ボードは運動をしない場合に不必要な空間を占めるようになって不便な問題がある。
また，フラフープの場合にも、図１に指示されたところのように，１メートルが超えるフラフープの直径によって運動に必要な空間確保のため、室外で運動をしなければならないし，天気などの影響によってフラフープができない場合が発生するようになる。
図１は従来のフラフープを利用した運動状態を指示した図面。フラフープを回転させるためにはおおよそフラフープ直径の二倍位の空間が必要になる。
【本発明が成そうとする技術的課題】
本発明は腰，腹筋運動器具による空間的、位置的不便さを解決するために発明されたことで、狭い空間でも効率的な腰，腹筋運動ができる運動装置の提供を目的にする。
また本発明は本体に設置された発光部を発光させて、退屈しやすい運動時間に視覚的刺激を通じる退屈さをとり除くことができる運動装置の提供を目的にする。
【発明の構成】
前記された目的を果たすために，本発明による腹筋運動装置は，ベルトの外側に偏心運動部を設置するが、偏心運動部はベルトに設置されるブラケットと，ブラケットの外側に偏心軸に結合設置される本体を含んで構成されることを特徴にする。
ここで前記されたブラケットは上記ベルトを中心に所定の角度に回転できることを特徴にする。
また前述された本体は上記ブラケットと偏心回転されるベアリング；上記ベアリングの回転によって回転されて電気を発生する発電部；上記発電部で発生された電気によって発光する発光部；及び上記発光部が設置されて，上記本体の外側をくるむように形成された透明材質の弾性部を含むことを特徴にする．
以下で，添付された図面を参照で本発明の実施例による腹筋運動装置の構成及び使用例を説明する。
図２は本発明の実施例による運動装置の指示図である。
図２に示したように、本発明の実施例による腹筋運動装置（１００）は，ベルト（１１０）の外側に偏心運動部を設置して構成される．偏心運動部はベルト（１１０）に設置されるブラケット（１２０）とブラケット（１２０）の外側に偏心軸に結合設置される本体（１３０）で構成される。
ベルト（１１０）は両端に調節紐（１１６）が結合されて，使用者の腰まわりによって長さを調節するように構成される。また調節紐（１１６）の端部には固定部（１１２，１１４）が形成されて，両方の調節紐（１１６）が結合されることができるように構成される．固定部（１１２，１１４）はクリップ式で挟んで合わせて固定するとか，ボタン式で固定されることもでき，本考案は特別にここに限定されない事に留意しなければならない。
ブラケット（１２０）はベルト（１１０）と本体（１３０）を連結するための要素として，ブラケット（１２０）はベルト（１１０）に対して所定の角度，例えば，４５度，９０度に回転できる。このようなブラケッ（１２０）の回転によって，使用者は腰，腹筋を上下，左右，傾斜で運動することができて、効果的な筋肉運動を誘導することができる。
本体（１３０）は前述されたブラケット（１２０）に対して偏心軸で結合設置される。このように偏心軸で結合設置されるによって、使用者の腰、腹筋運動によって本体（１３０）が回転しながら筋肉運動を誘導するようになる。
特に，本体（１３０）はブラケット（１２０）とかみ合って回転されるベアリング（１３２）、ベアリング（１３２）とかみ合って、ベアリング（１３２）が回転することによって一緒に回転して電気を発生させる発電部（１３４）、発電部（１３４）で発生された電気によって発光する発光部（１３６）及び本体（１３０）の外面をくるむように形成されて、発光部（１３６）の光が発散されることができるように透明材質にて形成されて、本体（１３０）の回転による衝突による負傷を防止するために弾性部（１３８）を含んで構成される．
以下で図５を参照で本発明の実施例による腹筋運動装置の作動を説明する。
図５は本発明の実施例による運動装置の動作を示した図である。
図５に示したように、使用者の運動によって本体（１３０）がブラケット（１２０）を中心に偏心運動するようになる。また本体（１３０）の回転速度が増加するようになれば、運動量が増加するようになって、使用者は願う速度で本体（１３０）を回転させて使用者に適切な運動量を得ることができるようになる。
また本発明による腹筋運動装置はブラケット（１２０）をベルト（１１０）に対して回転させておいた状態で使うようになれば，腰，腹筋で他の部分の筋肉運動を行うことができるようになる。
図３は本発明の第１使用例による運動装置の指示図で、図４は本発明の第２使用例による運動装置の指示図である。
先に図３のような状態で運動装置を使うようになれば、使用者は本体（１３０）を回転させるために腹筋運動装置（１００）を上下で動くようになる。
他の場合で、図４のような状態で運動装置を使うようになれば、使用者は本体（１３０）を回転させるために腹筋運動装置（１００）を斜めに往復して動くようになる．
このようにブラケット（１２０）を所定の角度で回転させて使うことで、多様な部位の筋肉運動を行うことができるようになる．
このような筋肉運動をするのは、単純な運動動作によって退屈さを感じやすい。よって，本発明による腹筋運動装置（１００）は本体（１３０）の内部に本体（１３０）の動きによって発光する機能を追加で含んでいる。
このような本発明の発光機能による構成を添付された図面を参照で説明する．
図６は見た発明の実施例による本体の透視図である。
図６に示したように，本体（１３０）はベアリング（１３２）、発電部（１３４）、発光部（１３６）及び弾性部（１３８）を含んで構成される。
ベアリング（１３２）は内面がブラケット（１２０）の外面と結合される。ベアリング（１３２）の外面には鋸歯ギアが形成されて、ベアリング（１３２）の回転力を発電部（１３４）に形成された鋸歯ギアで伝逹する。鋸歯ギアはベアリング（１３２）の外面にだけ形成される必要はないし、ベアリング（１３２）の回転力を発電部（１３４）に伝逹することだけできたら，ベアリング（１３２）の上面または下面に形成されて使われることもできる。
発電部（１３４）は前述されたベアリング（１３２）に形成された鋸歯ギアから回転力の伝逹受けて電気を発電するようになる。発電部（１３４）は自己誘導によって電気を発生する誘導発電装置が使われるが、これは同業者に明かさない構成要素なので発電部（１３４）の詳細な構成は略する。
発光部（１３６）は発電部（１３４）で発電された電気によって発光する。発光部（１３６）はさまざまな色相のＬＥＤ（ｌｉｇｈｔ  ｅｍｉｔｔｅｄ  ｄｉｏｄｅ），高輝度ＬＥＤなどを使用する。本発明は特別にここに限定されない、同業者によく知られたところのように、ＬＥＤまたは高輝度ＬＥＤは小さな電流によっても発光することができる。また発光部（１３６）は発電部（１３４）から供給される電気によっていつも発光することもできるが、タイマー（指示していない）を使って，間欠的に点燈することもできる事に留意する。
弾性部（１３８）は弾性を持つ，ゴム，合成樹脂などで形成されて，内部が一部または全部見えるように透明の素材を使う。弾性部（１３８）の内部には前述された発光部（１３６）が設置されて、発光部（１３６）の光が弾性部（１３８）を透過して使用者が視覚的に確認されるようにされる。また弾性部（１３８）は弾性を持った材料を利用して形成されるから，本体（１３０）の回転の時に他の物体や人などと衝突時の場合にも本体（１３０）と人体を安全に保護することができる。
以上に、本発明の実施例を添付された図面を参照につぶさに記述した。
本発明は前述された実施例にだけ特別に限定されるのではなくて、添付された請求範囲の精神と思想内で多様な修正及び変更が可能出来る事に留意しなければならない。
例えば、本体（１３０）は円計だけでなく卵形に形成されることもできる。このように本体（１３０）を卵形で形成するようになれば、本体（１３０）の回転による偏心力が大きくなることができるから、大きい運動量を得ることもできるようになる。
また本体（１３０）の内部には回転による遠心力を増大させるために，追加的な振り子を挿入して使うこともできる。
【図面の簡単な説明】
【図１】従来のフラフープを利用した運動状態を示した図
【図２】本発明の実施例に従った運動装置の指示図
【図３】本発明の第１使用例による運動装置の指示図
【図４】本発明の第２使用例による運動装置の指示図
【図５】本発明の実施例による運動装置の動作を示した図
【図６】本発明実施例による本体の透視図
【符号の説明】
１０：フラフープ                  １００：腹筋運動装置
１１０：ベルト                    １１２：メス固定部
１１４：オス固定部                １１６：調節紐
１２０：ブラケット                １３０：本体
１３２：ベアリング                １３４：発電部
１３６：発光部                    １３８：弾性部
【図１】
2006026371.tif 000003
【図２】
2006026371.tif 000004
【図３】
2006026371.tif 000005
【図４】
2006026371.tif 000006
【図５】
2006026371.tif 000007
【図６】
2006026371.tif 000008